(57)【要約】【課題】受け皿における遊技媒体の貯留量の監視及びそれら遊技媒体の排出操作の煩わしさを低減することが可能な遊技機を提供する。【解決手段】このように本実施形態のパチンコ遊技機１０によれば、遊技者に代わり、払出制御回路１００が、満杯検出スイッチ５０からの検出信号に基づいて下皿２７における遊技球の貯留量を監視すると共に、ソレノイド６１を用いて自動的に排出孔４３Ａを開放して下皿２７から遊技球を排出するので、遊技者にとって遊技球の貯留量の監視及びそれら遊技球の排出操作の煩わしさが低減され、遊技に集中することができる。また、遊技者の好みに応じて下皿２７における排出孔４３Ａの自動開閉を有効とするか無効とするかを選択することができ、自動開閉を無効にした場合でも手動により排出孔４３Ａを適宜開放することができる【選択図】図５
2008132137.tif 000002
【特許請求の範囲】
【請求項１】
遊技媒体を貯留可能な受け皿と、
所定の払出条件が成立したときに遊技媒体を前記受け皿に払い出す払出装置と、
前記受け皿に設けられ、前記受け皿に貯留された遊技媒体を排出するための排出孔と、
前記排出孔を閉鎖する閉鎖位置と開放する開放位置との間を移動可能であると共に、通常は閉鎖位置に配置された開閉部材とを備えた遊技機において、
前記受け皿に貯留された遊技媒体が予め設定された基準貯留量を超えたときに検出信号を出力する貯留量検出手段と、
前記開閉部材を駆動し、前記排出孔を開閉するための開閉駆動部と、
前記貯留量検出手段からの前記検出信号に応じて、前記開閉駆動部により前記開閉部材を駆動し、前記排出孔を予め定められた所定の開放時間に亘って開放してから閉鎖する自動開閉制御手段とを備えたことを特徴とする遊技機。
【請求項２】
遊技媒体の払い出し量が比較的少ない通常遊技と、遊技媒体の払い出し量が比較的多い特別遊技とを切り替えて実行可能な遊技制御手段を備え、
前記自動開閉制御手段は、前記貯留量検出手段から前記検出信号が出力されたことと、前記特別遊技の実行中であることとを必要条件とし、それら必要条件が満たされたときにのみ前記開閉部材を開放側に駆動することを特徴とする請求項１に記載の遊技機。
【請求項３】
前記貯留量検出手段は、遊技媒体が、前記受け皿と前記払出装置とを連絡する払出経路の途中の所定位置まで貯まったときに前記基準貯留量を超えたものとして前記検出信号を出力するように構成されたことを特徴とする請求項１又は２に記載の遊技機。
【請求項４】
前記自動開閉制御手段による前記開閉駆動部の制御を禁止する無効状態と、前記自動開閉制御手段による前記開閉駆動部の制御を許可する許可状態とに切り替え可能とする切替手段を備えたことを特徴とする請求項１乃至３の何れかに記載の遊技機。
【請求項５】
前記開閉部材を手動により開閉するための手動開閉操作部を設けたことを特徴とする請求項１乃至４の何れかに記載の遊技機。
【請求項６】
通常は、前記開閉部材が前記閉鎖位置に保持され、前記受け皿の下方に受容箱を配置した状態で前記開閉部材を前記開放位置に移動することで、前記受け皿に貯留された遊技媒体を前記受容箱に排出可能な構成であり、
前記排出孔の下方に前記受容箱が配置されているか否かを検出する受容箱検出手段を設け、前記受容箱が前記排出孔の下方に配置されていないときに、前記開閉駆動部による前記開閉部材の駆動を禁止する自動確認手段を備えたことを特徴とする請求項１乃至５の何れかに記載の遊技機。
【請求項７】
遊技媒体の払い出し量が比較的少ない通常遊技と、遊技媒体の払い出し量が比較的多い特別遊技とを切り替えて実行可能な遊技制御手段と、
遊技媒体を貯留可能な受け皿と、
所定の払出条件が成立したときに遊技媒体を前記受け皿に払い出す払出装置と、
前記受け皿に設けられ、前記受け皿に貯留された遊技媒体を排出するための排出孔と、
前記排出孔を閉鎖する閉鎖位置と開放する開放位置との間を移動可能な開閉部材とを備えた遊技機において、
前記開閉部材を駆動して前記排出孔を開閉するための開閉駆動部と、
前記特別遊技の実行中に、前記開閉駆動部により前記開閉部材を駆動し、前記排出孔を開放する特別遊技時自動開放手段とを備えたことを特徴とする遊技機。
【発明の詳細な説明】
【技術分野】
【０００１】
本発明は、遊技媒体を貯留可能な受け皿を備え、その受け皿の排出孔を開閉部材にて開閉可能とした遊技機に関する。
【背景技術】
【０００２】
従来、この種の遊技機として、開放スイッチをワンタッチ操作すると、ソレノイドが開閉部材を駆動して受け皿の排出孔を開放するものが知られている（例えば、特許文献１参照）。
【特許文献１】特開２０００−１４９０３号公報（［０００３］、［００４０］）
【発明の開示】
【発明が解決しようとする課題】
【０００３】
しかしながら、上記した従来の遊技機では、遊技者が受け皿が満杯になったか否かを監視しかつ、受け皿の排出孔を開放するにはスイッチを使用した排出操作が不可欠な構成になっていたので、煩わしさを感じ得た。例えば、遊技媒体の払い出し量が通常時より多くなる特別遊技の実行中には、上記監視及び排出操作の煩わしさが増し、遊技に集中できない場合が起こり得た。
【０００４】
本発明は、上記事情に鑑みてなされたもので、受け皿における遊技媒体の貯留量の監視及びそれら遊技媒体の排出操作の煩わしさを低減することが可能な遊技機の提供を目的とする。
【課題を解決するための手段】
【０００５】
上記目的を達成するためになされた請求項１の発明に係る遊技機は、遊技媒体を貯留可能な受け皿と、所定の払出条件が成立したときに遊技媒体を受け皿に払い出す払出装置と、受け皿に設けられ、受け皿に貯留された遊技媒体を排出するための排出孔と、排出孔を閉鎖する閉鎖位置と開放する開放位置との間を移動可能であると共に、通常は閉鎖位置に配置された開閉部材とを備えた遊技機において、受け皿に貯留された遊技媒体が予め設定された基準貯留量を超えたときに検出信号を出力する貯留量検出手段と、開閉部材を駆動し、排出孔を開閉するための開閉駆動部と、貯留量検出手段からの検出信号に応じて、開閉駆動部により開閉部材を駆動し、排出孔を予め定められた所定の開放時間に亘って開放してから閉鎖する自動開閉制御手段とを備えたところに特徴を有する。
【０００６】
請求項２の発明は、請求項１に記載の遊技機において、遊技媒体の払い出し量が比較的少ない通常遊技と、遊技媒体の払い出し量が比較的多い特別遊技とを切り替えて実行可能な遊技制御手段を備え、自動開閉制御手段は、貯留量検出手段から検出信号が出力されたことと、特別遊技の実行中であることとを必要条件とし、それら必要条件が満たされたときにのみ開閉部材を開放側に駆動するところに特徴を有する。
【０００７】
請求項３の発明は、請求項１又は２に記載の遊技機において、貯留量検出手段は、遊技媒体が、受け皿と払出装置とを連絡する払出経路の途中の所定位置まで貯まったときに基準貯留量を超えたものとして検出信号を出力するように構成されたところに特徴を有する。
【０００８】
請求項４の発明は、請求項１乃至３の何れかに記載の遊技機において、自動開閉制御手段による開閉駆動部の制御を禁止する無効状態と、自動開閉制御手段による開閉駆動部の制御を許可する許可状態とに切り替え可能とする切替手段を備えたところに特徴を有する。
【０００９】
請求項５の発明は、請求項１乃至４の何れかに記載の遊技機において、開閉部材を手動により開閉するための手動開閉操作部を設けたところに特徴を有する。
【００１０】
請求項６の発明は、請求項１乃至５の何れかに記載の遊技機において、通常は、開閉部材が閉鎖位置に保持され、受け皿の下方に受容箱を配置した状態で開閉部材を開放位置に移動することで、受け皿に貯留された遊技媒体を受容箱に排出可能な構成であり、排出孔の下方に受容箱が配置されているか否かを検出する受容箱検出手段を設け、受容箱が排出孔の下方に配置されていないときに、開閉駆動部による開閉部材の駆動を禁止する自動確認手段を備えたところに特徴を有する。
【００１１】
請求項７の発明に係る遊技機は、遊技媒体の払い出し量が比較的少ない通常遊技と、遊技媒体の払い出し量が比較的多い特別遊技とを切り替えて実行可能な遊技制御手段と、遊技媒体を貯留可能な受け皿と、所定の払出条件が成立したときに遊技媒体を受け皿に払い出す払出装置と、受け皿に設けられ、受け皿に貯留された遊技媒体を排出するための排出孔と、排出孔を閉鎖する閉鎖位置と開放する開放位置との間を移動可能な開閉部材とを備え、通常は、開閉部材が閉鎖位置に保持され、受け皿の下方に受容箱を配置した状態で開閉部材を開放位置に移動することで、受け皿に貯留された遊技媒体を受容箱に排出可能な遊技機において、開閉部材を駆動して排出孔を開閉するための開閉駆動部と、特別遊技の実行中に、開閉駆動部により開閉部材を駆動し、排出孔を開放する特別遊技時自動開放手段とを備えたところに特徴を有する。
【発明の効果】
【００１２】
［請求項１の発明］
請求項１の遊技機では、受け皿の排出孔は通常は開閉部材により閉鎖されているので、遊技媒体は受け皿に貯留される。受け皿に貯留された遊技媒体が基準貯留量に達すると貯留量検出手段が検出信号を出力する。すると、その検出信号に応じて自動開閉制御手段が、開閉駆動部により開閉部材を駆動し、排出孔を予め定められた所定の開放時間に亘って開放してから閉鎖する。これにより、受け皿から遊技媒体が排出され、受け皿に貯留される遊技媒体が一定量以下に抑えられる。このように本発明の遊技機によれば、遊技者に代わり、自動開閉制御手段が、貯留量検出手段からの検出信号に基づいて受け皿における遊技媒体の貯留量を監視すると共に、開閉駆動部を用いて自動的に排出孔を開放して受け皿から遊技媒体を排出するので、遊技者にとって遊技媒体の貯留量の監視及びそれら遊技媒体の排出操作の煩わしさが低減され、遊技に集中することができる。
【００１３】
［請求項２の発明］
請求項２の構成では、遊技媒体の払い出し量が通常遊技に比べて多い特別遊技の実行中であることと、受け皿に貯留された遊技媒体が基準貯留量に達して貯留量検出手段から検出信号が出力されたことの両方の必要条件が満たされたときにのみ、自動開閉制御手段が開閉部材を開放側に駆動する。即ち、本発明によれば、遊技者に代わり、自動開閉制御手段が、特別遊技の実行中か否かを監視すると共に、特別遊技の実行中に自動的に排出孔を開放して受け皿から遊技媒体を排出するので、遊技者にとって遊技媒体の貯留量の監視及びそれら遊技媒体の排出操作の煩わしさが低減され、遊技に集中することができる。
【００１４】
［請求項３の発明］
請求項３の構成によれば、貯留量検出手段を、受け皿と払出装置とを連絡する払出経路に設けることにより、遊技者が、遊技媒体以外の異物を受け皿に入れた場合だけでは、貯留量検出手段は検知し難いので誤作動を起こすことを低減することが可能である。
【００１５】
［請求項４の発明］
請求項４の構成によれば、遊技者は開閉駆動部の制御、即ち排出孔の自動開閉を有効とする状態と禁止とを適宜選択して遊技を行うことができる。
【００１６】
［請求項５の発明］
請求項５の構成によれば、遊技者は受け皿に基準貯留量の遊技媒体が貯留されていない場合や自動排出を無効とした場合等でも手動で遊技媒体の排出を行うことができる。
【００１７】
［請求項６の発明］
請求項６の構成によれば、受け皿の下方に受容箱が配置されていない場合には、開閉駆動部による開閉部材の駆動が禁止される。これにより、受容箱が備えられていない状態で自動的に受け皿の排出孔が開放することが防がれる。
【００１８】
［請求項７の発明］
請求項７の遊技機では、受け皿の排出孔は、通常時は開閉部材により閉鎖されている。そして、遊技媒体が比較的多く払い出される特別遊技が実行されると、特別遊技時自動開放手段が、特別遊技の実行中に、開閉駆動部により開閉部材を駆動し、排出孔を開放する。これにより、受け皿から遊技媒体が排出され、受け皿に貯留された遊技媒体が一定量以下に抑えられる。このように本発明の遊技機によれば、遊技者に代わり、特別遊技時自動開放手段が、特別遊技の実行中か否かを監視すると共に、特別遊技の実行中に自動的に排出孔を開放して受け皿から遊技媒体を排出するので、遊技者にとって遊技媒体の貯留量の監視及びそれら遊技媒体の排出操作の煩わしさが低減され、遊技に集中することができる。
【発明を実施するための最良の形態】
【００１９】
［第１実施形態］
以下、本発明を適用したパチンコ遊技機１０に係る第１実施形態を、図１〜図１４に基づいて説明する。図１に示すように、本実施形態のパチンコ遊技機１０の遊技板１１には、ガイドレール１２で囲まれたほぼ円形の遊技領域Ｒ１が形成されている。その遊技領域Ｒ１の中央部には表示装置３０が備えられ、遊技領域Ｒ１のうち表示装置３０より下方には、始動入賞口１４、大入賞口１５及び外れ球受け入れ口１６が、上から順に間隔を開けて並べて設けられている。また、遊技領域Ｒ１のうち表示装置３０の両側には、ランプ風車１７、始動ゲート１８、風車１９、一般入賞口２０，２１がそれぞれ設けられ、ガイドレール１２に沿った両側端部には、サイドランプ２２，２２が設けられている。なお、遊技領域Ｒ１全体に亘って、図示しない複数の障害釘が起立している。
【００２０】
遊技板１１の所要の各部位について詳説する。一般入賞口２０，２１は、遊技板１１から突出した部材の上面に開口を備えた、所謂ポケット構造をなし、遊技球（本発明に係る「遊技媒体」に相当する）が丁度１つ入球可能な大きさで上方に開口している。一般入賞口２０，２１へ入球すると、その遊技球は遊技板１１の裏側に取り込まれ、例えば４個の遊技球が後述する上皿２６に払い出される。
【００２１】
始動ゲート１８は、遊技球が潜って通過可能な門形構造をなし、通過した遊技球は始動ゲート１８に内蔵された図示しない普通図柄始動スイッチによって検出される。この検出信号に基づいて、液晶表示画面３０Ｂの一角に設けられた普通図柄表示部１８Ｈにおいて図柄が変動表示される。具体的には、「０」〜「９」までの数字からなる数字図柄が所定期間に亘って変動表示された後、所定の数字図柄が停止表示される。
【００２２】
始動入賞口１４も、一般入賞口２０，２１と同様に、ポケット構造をなしている。始動入賞口１４の開口の左右両側には可動翼片１４Ａ，１４Ａが備えられている。これら両可動翼片１４Ａ，１４Ａは、常には起立状態になっており、このとき両可動翼片１４Ａ，１４Ａに挟まれた始動入賞口１４の開口幅は、遊技球が１つだけ入る大きさとなっている。そして、普通図柄表示部１８Ｈで停止表示された数字図柄が奇数になると、遊技板１１の裏に設けた図示しないソレノイドが駆動されて、可動翼片１４Ａ，１４Ａが所定期間（例えば、０．４秒間）に亘って横に倒される。すると、始動入賞口１４の両脇を流下する遊技球が可動翼片１４Ａに受け止められて始動入賞口１４に案内されるようになって始動入賞口１４に入賞し易くなる。
【００２３】
始動入賞口１４に入った遊技球は、遊技板１１に設けた貫通孔（図示せず）を通って、遊技板１１の裏側に回収されると共に、始動入賞口１４内に設けた図示しない始動口センサで検出される。その検出信号に基づいて、例えば、４個の遊技球が後述する上皿２６に払い出されると共に、液晶表示画面３０Ｂにおいて図柄が変動表示される。具体的には、液晶表示画面３０Ｂには、通常、３つの特別図柄３１Ａ，３１Ｂ，３１Ｃが横並びに表示されている。これら各特別図柄３１Ａ，３１Ｂ，３１Ｃには、例えば、「０」〜「１１」の数字を表記した複数種類がそれぞれ備えられ、通常は、何れかの種類の特別図柄３１Ａ，３１Ｂ，３１Ｃが停止表示されている。そして、始動入賞口１４に遊技球が入賞したときに、これら３つの特別図柄３１Ａ，３１Ｂ，３１Ｃが、上下方向にスクロール表示され、所定時間後に、例えば、左、右、中の順で各特別図柄３１Ａ，３１Ｃ，３１Ｂが停止表示される。また、全ての特別図柄３１Ａ，３１Ｂ，３１Ｃが同じ図柄、即ち、ぞろ目になった場合に、遊技が「大当たり状態」になる。なお、この「大当たり状態」が本発明の「特別遊技」状態に相当し、その他の遊技状態が本発明の「通常遊技」状態に相当する。また、このような遊技状態の切替制御が本発明の「遊技制御手段」に相当する。
【００２４】
なお、液晶表示画面３０Ｂにおいて特別図柄３１Ａ，３１Ｂ，３１Ｃが変動表示又は「大当たり状態」の最中に始動入賞口１４に入賞した場合、その入賞球は最大で４個まで保留記憶され、特別図柄３１Ａ，３１Ｂ，３１Ｃが停止表示又は「大当たり状態」が終了すると、その保留記憶に基づいて再び、特別図柄３１Ａ，３１Ｂ，３１Ｃが変動表示される。
【００２５】
大入賞口１５は、横長矩形に形成されて前方に開放しており、常には、可動扉１５Ｔにて閉塞されている。パチンコ遊技機１０が「大当たり状態」になると、遊技板１１の裏に設けた図示しないソレノイドが駆動され、可動扉１５Ｔが所定期間に亘って前側に倒れる。これにより、大入賞口１５が開放され、可動扉１５Ｔを案内にして、大入賞口１５に多くの遊技球が入賞可能となる。ここで、可動扉１５Ｔが、開放してから閉じるまでの間を「ラウンド」と称すると、１つのラウンドは、可動扉１５Ｔの開放時間が３０秒に達したか、又は、大入賞口１５に遊技球が１０個入賞したかの何れかの条件が先に満たされた場合に終了する。また、「大当たり状態」は、最大で、例えば１５ラウンドまで継続される。
【００２６】
大入賞口１５の内部には、図示しない計数入賞口が設けられている。計数入賞口内には、カウントセンサが設けられており、遊技球の入賞を検出すると入賞球数をカウントし、入賞球が前記したように計１０個に達したか否かをチェックする。なお、大入賞口１５に遊技球が入賞すると、１個の入賞につき、例えば、１５個の遊技球が上皿２６に払い出される。以上が遊技板１１の各部位の説明である。
【００２７】
上述したパチンコ遊技機１０の前面側は、下端寄り位置の一部の除いて全体が前面枠８３によって覆われ、その下端寄り位置の一部が取付プレート４６とコーナーカバー４６Ｃとによって覆われている。そして、前面枠８３に形成されたガラス窓８５Ｗを通して上記遊技領域Ｒ１が視認可能となっている。パチンコ遊技機１０の前面には、ガラス窓８５Ｗの上方及び側方を囲むように前方に膨出した装飾ランプ３５が設けられると共に、上端両角部にスピーカ２３，２３が設けられている。
【００２８】
パチンコ遊技機１０の前面のうちガラス窓８５Ｗの下方には、第１膨出部２６Ｂが備えられ、その下方には第２膨出部２７Ｂが備えられている。第１膨出部２６Ｂには、上方に開放した上皿２６が形成され、その上皿２６の側方には、第１球抜ボタン２６Ａが設けられている。また、第２膨出部２７Ｂには、上方に開放した下皿２７（本発明の「受け皿」に相当する）が形成され、その下皿２７の左側方に画像操作ボタン４１が設けられると共に、右側方に第２球抜ボタン４７、球貸し状態表示モニター２７Ｄ及び球貸ボタン２７Ｅが設けられている。さらに、第１及び第２の膨出部２６Ｂ，２７Ｂは、向かって右側の端部が共に上方側に湾曲しており、それら湾曲部分の下方に位置したパチンコ遊技機１０の前面の右下角部には、操作ノブ２８が備えられている。また、パチンコ遊技機１０が設置される遊技ホールには、下皿２７の下方に図２に示した受容箱載置部４９Ｓが備えられており、ここに、上面が開放した受容箱４９を載置可能になっている。
【００２９】
図３には、取付プレート４６に組み付けられた複数の部品を分解した状態が示されている。取付プレート４６は、略横長矩形状をなし、取付プレート４６における左右方向の中央には、下皿構成部材４３が取り付けられている。下皿構成部材４３は、底壁４３Ｃの外縁部４３Ｂから上方に起立してなり、上面と取付プレート４６側の側面とが開放した構造をなしている。そして、その下皿構成部材４３における側面の開放部分を取付プレート４６で閉塞して前記した下皿２７が構成されている。
【００３０】
取付プレート４６において下皿構成部材４３の内側に臨んだ部分には、その右端寄りの下端部に下皿払出口５６Ｂが貫通形成されている。そして、この下皿払出口５６Ｂを通して遊技球が下皿２７に払い出される。また、下皿構成部材４３の底壁４３Ｃには、下皿払出口５６Ｂの前方位置に円形の排出孔４３Ａが貫通形成され、底壁４３Ｃ全体が排出孔４３Ａに向かって緩やかに下るように傾斜している。
【００３１】
取付プレート４６の前面のうち下皿構成部材４３の下方には、下面対向壁４６Ｚが固定されている。下面対向壁４６Ｚは、取付プレート４６の前面から突出した片持ち梁状をなして、下皿構成部材４３における底壁４３Ｃのうち排出孔４３Ａが形成された部分の近傍に上下方向で対向している。下面対向壁４６Ｚには、排出孔４３Ａと同軸上に略同一形状の排出孔４６Ｂが貫通形成されている。また、下面対向壁４６Ｚの上面は、取付プレート４６と反対側の前縁部と一側縁部が段付き状に高くなっており、排出孔４６Ｂの開口縁及びその開口縁より後方側が段付き状に低くなっている。これにより、下面対向壁４６Ｚの上面における段付き状に低くなった部分と下皿構成部材４３の下面との間に偏平空間４６Ｈ（図６参照）が形成されている。そして、取付プレート４６のうち下皿払出口５６Ｂの下方に貫通形成された横長のスリット４６Ｓ（図３参照）がこの偏平空間４６Ｈに連通している。
【００３２】
取付プレート４６の前面のうち下皿構成部材４３の右側方には、開閉ユニット６０が組み付けられている。開閉ユニット６０は、取付プレート４６の前面に固定されたベース部６０Ａに開閉部材６４とソレノイド６１（本発明に係る「開閉駆動部」に相当する）とを組み付けてなる。ベース部６０Ａのうち取付プレート４６の前面と平行になった前面には、図４に拡大して示すように、１対の対向突片６２Ｂ，６２Ｂが上下に並べて突出形成されている。
【００３３】
開閉部材６４は、前記した下皿構成部材４３と下面対向壁４６Ｚとの間の偏平空間４６Ｈに側方から挿入される水平ブレード６４Ｆを有している。水平ブレード６４Ｆの先端部は、排出孔４３Ａを閉塞可能な大きさになっており、水平ブレード６４Ｆの基端部からは上方に鉛直アーム６４Ｅが起立している。また、鉛直アーム６４Ｅの上端部は水平ブレード６４Ｆとは反対側に屈曲しており、その先に回動スリーブ６４Ａが備えられている。
【００３４】
回動スリーブ６４Ａ内には支持シャフト６２Ａが挿通され、その支持シャフト６２Ａの両端部がベース部６０Ａの対向突片６２Ｂ，６２Ｂに保持されて、開閉部材６４が水平方向で回動可能になっている。そして、開閉部材６４が回動可能範囲の一端側の閉鎖位置に配置されると（図６（Ａ）参照）、水平ブレード６４Ｆにて排出孔４３Ａ（図３参照）が閉塞され、回動可能範囲の他端側の開放位置に配置されると（図６（Ｂ）参照）、水平ブレード６４Ｆが取付プレート４６のスリット４６Ｓに突入する位置まで排出孔４３Ａから離れて排出孔４３Ａが開放される。また、水平ブレード６４Ｆは、閉鎖位置に配置されたときには、下面対向壁４６Ｚの前側の壁部に当接して位置決めされる。
【００３５】
図６に示すように、開閉部材６４における鉛直アーム６４Ｅ（図４参照）の中間部分には、引張コイルバネ６５の一端部が取り付けられ、その引張コイルバネ６５の他端部が下皿構成部材４３から突出したバネ係止突部４３Ｅ（図３参照）に取り付けられている。そして、この引張コイルバネ６５の弾発力によって開閉部材６４が常には閉鎖位置に保持されている。
【００３６】
図６に示すように、ソレノイド６１は、ベース部６０Ａの前面のうち対向突片６２Ｂ，６２Ｂを挟んで下皿構成部材４３と反対側の位置に固定されている。図４に示すように、このソレノイド６１は、その軸方向を上下方向に向けられ、ソレノイド６１の中心部に挿入されたプランジャ６１Ａの上端部に押圧部材６３が固定されている。また、プランジャ６１Ａの外側には圧縮コイルバネ６１Ｂが挿入され、その圧縮コイルバネ６１Ｂが押圧部材６３とソレノイド６１との間に挟まれている。そして、ソレノイド６１を消磁させた状態では、圧縮コイルバネ６１Ｂの弾発力によってプランジャ６１Ａが上下動可能な範囲の上端位置に保持され、ソレノイド６１を励磁すると圧縮コイルバネ６１Ｂの弾発力に抗してプランジャ６１Ａが上下動可能な範囲の下端位置に移動する。
【００３７】
図４に示すように、押圧部材６３は、プランジャ６１Ａから開閉部材６４の回動スリーブ６４Ａ側に延びかつベース部６０Ａの前面と平行な後端面を有している。そして、押圧部材６３は、後端面をベース部６０Ａの前面に隣接させてプランジャ６１Ａ回りの回動を規制された状態でプランジャ６１Ａと共に上下動する。また、押圧部材６３の下面には、ベース部６０Ａ側に向かうに従って下方に傾斜した摺接斜面６３Ａが形成されている。この押圧部材６３に対応して、開閉部材６４の回動スリーブ６４Ａからは、ソレノイド６１側に向けてパイロットレバー６４Ｃが張り出されている。そして、開閉部材６４が閉鎖位置に配置されかつ押圧部材６３が上下動可能な範囲の上端位置に配置されているときには、図５（Ａ）に示すように、パイロットレバー６４Ｃに対して押圧部材６３が上方から対向した状態になる。この状態で、ソレノイド６１を励磁して押圧部材６３をプランジャ６１Ａと共に降下させると、押圧部材６３の摺接斜面６３Ａが回動スリーブ６４Ａに摺接して回動スリーブ６４Ａが前方に移動する。そして、押圧部材６３が上下動可能な範囲の下端位置に至る前にパイロットレバー６４Ｃが押圧部材６３の下方から前側に外れ、開閉部材６４が閉鎖位置に至る。また、押圧部材６３が更に降下して上下動可能な範囲の下端位置に至ったときには、図５（Ｂ）に示すように、回動スリーブ６４Ａが押圧部材６３の前面側に当接して移動を規制される。これにより、回動スリーブ６４Ａを介して押圧部材６３にかかる引張コイルバネ６５からの弾発力が、ベース部６０Ａで受け止められ、ソレノイド６１の負担が軽減される。
【００３８】
下皿構成部材４３の側面及び開閉ユニット６０は、取付プレート４６の前面に取り付けられる装飾カバー４４Ａ，４４Ｂ（図３参照）によって覆われている。また、一方の装飾カバー４４Ａには前記した画像操作ボタン４１が固定され、他方の装飾カバー４４Ｂには第２球抜ボタン４７が固定されている。そして、画像操作ボタン４１、第２球抜ボタン４７及びソレノイド６１から延びた配線が、取付プレート４６に貫通形成された電線挿通孔４６Ｐ（図３参照）を通してパチンコ遊技機１０の後面側の後述する払出制御回路１００（本発明に係る「自動開閉制御手段」に相当する）に接続されている。
【００３９】
上皿２６は、図示しないが、前記下皿構成部材４３に相当する上皿構成部材と前面枠８３の一部とから構成され、その上皿構成部材の前方及び側方が装飾カバーにて覆われている。また、上皿２６は、図１に示すように、下皿２７に比べて左右方向に長くなっており、下皿２７に遊技球を払い出すための下皿払出口５６Ｂが下皿２７の内側面における右端に配置されているのに対し、上皿２６に遊技球を払い出すための上皿払出口５６Ａは、上皿２６の内側面における左端に配置されている。そして、上皿２６の底面は右端に向かって下るように傾斜しており、上皿２６の右側端部と図示しない発射装置１０６Ａとの間が遊技球案内路で連絡されている。これより、上皿２６に貯留された遊技球が発射装置１０６Ａへと送給され、操作ノブ２８を操作すると、発射装置１０６Ａが駆動して、上皿２６から送給された遊技球が、順次、遊技領域Ｒ１へと弾き出される。
【００４０】
また、遊技球案内路の途中部分と下皿払出口５６Ｂとの間は、図示しない開閉連絡路にて連絡され、その開閉連絡路は、通常は閉じられている。そして、第１球抜ボタン２６Ａを操作することで開閉連絡路が開通し、上皿２６内の遊技球が下皿払出口５６Ｂを通して下皿２７へと排出されるようになっている。
【００４１】
下皿２７に貯留された遊技球は、第２球抜ボタン４７を操作することで排出することができる。即ち、第２球抜ボタン４７を操作すると、ソレノイド６１が励磁され、これにより、開閉部材６４が閉鎖位置から開放位置に移動し、下皿２７内の遊技球が下皿２７の下方の受容箱４９へと排出される。また、下皿２７を挟んで第２球抜ボタン４７と反対側の画像操作ボタン４１は、液晶表示画面３０Ｂで表示される画像を選択する際に用いられると共に、後に詳説するようにソレノイド６１の動作条件を設定する際にも用いられる。
【００４２】
図７に示すように、パチンコ遊技機１０の後面側には、上皿払出口５６Ａの上方に払出装置１１０と球貸し装置１１０Ｃとが備えられ、払出装置１１０と球貸し装置１１０Ｃとを連絡した払出経路５５が上皿払出口５６Ａと下皿払出口５６Ｂとの連絡されている。具体的には払出経路５５は、払出装置１１０から下方に延びて球貸し装置１１０Ｃ内を通過し、球貸し装置１１０Ｃの下方の真下の第１コーナー部５５Ａで水平横方向に屈曲している。また、払出経路５５は、第１コーナー部５５Ａから水平方向に対して僅かに下るように傾斜して延びて、下皿払出口５６Ｂの斜め上方位置の第２コーナー部５５Ｂで真下に屈曲して延び、その途中から僅かに屈曲して傾斜し、さらに、その先の終端部が下皿払出口５６Ｂに連通している。また、上皿払出口５６Ａは、払出経路５５の上端部において球貸し装置１１０Ｃから下方に延びた部分の途中に連通している。
【００４３】
そして、何れかの入賞口１４，１５，２０，２１に遊技球が入賞した場合に、払出装置１１０が作動して、払出装置１１０から上皿払出口５６Ａを通って上皿２６へと賞球が払い出される。その上皿２６が遊技球で満杯になり、遊技球で上皿払出口５６Ａが塞がれ、遊技球が上皿払出口５６Ａを通過し、払出経路５５を下端部まで移動して下皿払出口５６Ｂから下皿２７に遊技球が払い出される。球貸し装置１１０Ｃを作動せた場合も同様である。
【００４４】
図８に示すように、払出経路５５のうち第２コーナー部５５Ｂと終端部との間には、払出経路５５を構成する側壁の一部を切除して満杯検出スイッチ５０（本発明の「貯留量検出手段」に相当する）が備えられている。具体的には、払出経路５５の終端は、下皿２７の底面に達しており、その第２コーナー部５５Ｂの前側の内側面に下皿払出口５６Ｂが開口している。図９（Ａ）に示すように、下皿払出口５６Ｂにおける同図の左側の開口縁は、上下方向の途中部分から右側に寄せられ、下皿払出口５６Ｂの上端部が幅狭になっている。その下皿払出口５６Ｂが幅狭になる境界部分から下皿払出口５６Ｂの上側の開口縁よりさらに遊技球にして１個半分上方側の位置に亘って払出経路５５の側壁を切除してセンサ設置開口５５Ｃが形成されている。そして、そのセンサ設置開口５５Ｃを介して第２コーナー部５５Ｂと第２コーナー部５５Ｂの側方に設けられたセンサ部屋５０Ｄとが連通している。
【００４５】
センサ設置開口５５Ｃの上端部の位置は、第２コーナー部５５Ｂの側壁のうち第２コーナー部５５Ｂにおける湾曲部分の終端から鉛直下方に延びた部分の途中の位置でもある。また、センサ設置開口５５Ｃの下端部は、第２コーナー部５５Ｂから水平方向で離れ、センサ設置開口５５Ｃの上端部に対して斜め下方に位置している。
【００４６】
満杯検出スイッチ５０は、可動レバー５０Ａと電気接点５０Ｂとからなり、その可動レバー５０Ａは、センサ設置開口５５Ｃの下端部に回動可能に軸支され、そこから斜め上方に延びてセンサ設置開口５５Ｃを塞いでいる。また、電気接点５０Ｂは、センサ部屋５０Ｄ内に配置されて電気接点５０Ｂの一部と可動レバー５０Ａの上端部とが対向している。そして、可動レバー５０Ａが回動範囲の一端側に位置したときには、図９（Ａ）に示すように、可動レバー５０Ａの上端部が電気接点５０Ｂから離れて電気接点５０Ｂがオフすると共に可動レバー５０Ａがセンサ設置開口５５Ｃの開口縁に当接して位置決めされる。一方、可動レバー５０Ａが回動範囲の他端側に位置したときには、図９（Ｂ）に示すように可動レバー５０Ａの上端部が電気接点５０Ｂに当接して電気接点５０Ｂがオンすると共に可動レバー５０Ａの補強リブ５０Ｈが、センサ部屋５０Ｄ内のストッパ壁５０Ｅに当接して位置決めされる。そして、この電気接点５０Ｂのオンオフ信号（検出信号）が、払出制御回路１００に取り込まれている。
【００４７】
可動レバー５０Ａは、自重により通常は回動範囲の一端側に位置している。そして、下皿２７に貯留された遊技球が満杯になり、払出経路５５内の遊技球が、下皿払出口５６Ｂの上側開口縁に達すると、可動レバー５０Ａに対して遊技球の圧力がかかり、可動レバー５０Ａが回動範囲の他端側に移動し、電気接点５０Ｂがオンする。また、払出経路５５内の遊技球が、下皿払出口５６Ｂの上側開口縁を超えると、可動レバー５０Ａに対する遊技球の圧力が増し、確実に電気接点５０Ｂがオンする。即ち、本実施形態では、払出経路５５内の遊技球が、下皿払出口５６Ｂの上側開口縁に達したときの下皿２７における遊技球の貯留量が、本発明に係る「基準貯留量」に相当する。
【００４８】
なお、下皿２７が満杯ではない状態では、払出経路５５の第２コーナー部５５Ｂから下方に向かう遊技球は、可動レバー５０Ａに当接することなく下皿払出口５６Ｂを通過して下皿２７へと払い出される。また、満杯検出スイッチ５０を下皿２７ではなく、払出経路５５内に設けたので、遊技者が携帯電話、たばこ等の遊技球以外の異物を下皿２７に入れた場合だけでは、満杯検出スイッチ５０まで距離があり、満杯検出スイッチ５０は検知し難いので誤作動を起こすことを低減することが可能である。
【００４９】
図１０には、パチンコ遊技機１０の電気的な構成が示されている。パチンコ遊技機１０は、主制御回路１０１、表示制御回路１０２、ランプ制御回路１０４、音声制御回路１０３、払出制御回路１００等の複数の制御回路を備えている。そして、主制御回路１０１にてパチンコ遊技機１０全体を統括的に制御している。また、主制御回路１０１から制御信号に基づいて、表示制御回路１０２が液晶表示画面３０Ｂを駆動制御し、音声制御回路１０３が、スピーカ２３からの音声を制御し、ランプ制御回路１０４が各種ランプ２２，３５等の発光を制御して、遊技の演出を行っている。
【００５０】
ここで払出制御回路１００は、各入賞口１４，１５，２０，２１への遊技球の入賞に基づいた主制御回路１０１からの信号に基づいて、払出装置１１０を作動させると共に、パチンコ遊技機１０の側面に備えたプリペイドカードユニット１５０（図１参照）からの信号に基づいて球貸し装置１１０Ｃを作動させる。これにより、払出経路５５を通して上皿２６又は下皿２７に遊技球が払い出される。
【００５１】
さて、本実施形態の払出制御回路１００は、図１１に示した払出メインプログラムＰＧを取り出してランして、ソレノイド６１の駆動制御も行う。具体的には、払出制御回路１００が払出メインプログラムＰＧをランすると、まず、電源投入時か否かを判断する（Ｓ１）。電源投入したと判断した場合（Ｓ１でｙｅｓ）には、初期設定（Ｓ３）を実行する。初期設定（Ｓ３）では、例えば、スタックの設定、定数設定、ＣＰＵの設定、各種フラグ及びカウンタ値のリセット等を行う。そして初期設定（Ｓ３）を終えると次の処理（Ｓ１０）に移る。
【００５２】
なお、初期設定（Ｓ３）は、払出メインプログラムＰＧが、電源投入後の１回目にランされたときだけ実行され、それ以降は実行されない。
【００５３】
賞球制御処理（Ｓ１０）では、各入賞口１４，１５，２０，２１へ入賞して主制御回路１０１から送信される信号を基に、所定個数の遊技球を払い出すように払出装置１１０を駆動する。
【００５４】
賞球制御処理（Ｓ１０）に次いで、本発明の「切替手段」に相当する下皿玉抜き自動／手動切替処理（Ｓ２０）が実行される。処理（Ｓ２０）が実行されると、図１２に示すように、手動／自動切替スイッチがオンしている（「自動」になっている）とされているかどうかを判断する（Ｓ２１）。この手動／自動切替スイッチは、ソフト上の設定スイッチであり、画像操作ボタン４１及び手動／自動切替スイッチにより、本発明に係る「切替手段」が構成されている。
【００５５】
また、この手動／自動切替スイッチは、画像操作ボタン４１の操作によってオンオフを変更することができる。詳細には、画像操作ボタン４１を押圧操作すると、手動／自動切替スイッチを含む設定スイッチ群が液晶表示画面３０Ｂに表示され、画像操作ボタン４１を上下又は左右に回動操作することで、手動／自動切替スイッチを選択してから画像操作ボタン４１を押圧操作することで、手動／自動切替スイッチをオンとオフとに切り替えることができる。そして、手動／自動切替スイッチがオン（自動）になっていない場合（Ｓ２１でｎｏ）には直ちにこの処理（Ｓ２０）を抜ける。
【００５６】
手動／自動切替スイッチがオン（自動）になっている場合（Ｓ２１でｙｅｓ）には、次に自動設定状態か否かを判断する（Ｓ２２）。そして、自動設定状態なら（Ｓ２２でｙｅｓ）手動設定に切り替え（Ｓ２３）、手動設定状態なら（Ｓ２２でｎｏ）自動設定に切り替える（Ｓ２４）。手動設定又は自動設定に切り替えたらこの処理（Ｓ２２）を抜ける。なお、手動／自動切替スイッチは、初期状態ではオフ（手動）になっている。
【００５７】
図１１に示すように、下皿玉抜き自動／手動切替処理（Ｓ２０）に次いで下皿満タン処理（Ｓ３０）が実行される。この処理（Ｓ３０）では、図１３に示すように、まず満杯検出スイッチ５０がオンか否かを判断する（Ｓ３１）。満杯検出スイッチ５０がオンされていないとき（Ｓ３１でｎｏ）、即ち、払出経路５５内に遊技球が溢れてないときは、直ちにこの処理（Ｓ３０）を抜ける。
【００５８】
満杯検出スイッチ５０がオンされているとき（Ｓ３１でｙｅｓ）、即ち、払出経路５５内に遊技球が溢れてきているときは、球排出設定が自動設定状態かどうかを判断する（Ｓ３４）。自動設定状態でなければ（Ｓ３４でｎｏ）で直ちにこの処理（Ｓ３０）を抜ける。ここで、遊技者が第２球抜ボタン４７を押圧し、図示しないセンサがオンされた場合は、ソレノイド６１を励磁し、開閉部材６４を回動させて排出孔４３Ａを開放する。
【００５９】
一方、自動設定状態であれば（Ｓ３４でｙｅｓ）、下皿玉抜き時間（本発明に係る「所定の開放時間」に相当する）が設定されているか否かを判断し（Ｓ３５）、設定されていれば（Ｓ３５でｙｅｓ）この処理（Ｓ３０）を抜ける。下皿玉抜き時間が設定されていない場合（Ｓ３５でｎｏ）は、下皿玉抜き時間を、例えば６０秒に設定し（Ｓ３６）、この処理（Ｓ３０）を終了する。
【００６０】
図１１に示すように、下皿満タン処理（Ｓ３０）に次いで下皿玉抜き処理（Ｓ４０）が実行される。この処理（Ｓ４０）が実行されると、図１４に示すように、まず下皿玉抜き時間が「０」となっているか否かを確認する（Ｓ４１）。下皿玉抜き時間が「０」でない場合（Ｓ４１でｎｏ）には、下皿玉抜き時間を減算（タイマを１ディクリメント）し（Ｓ４３）、ソレノイド６１を励磁し排出孔４３Ａを開放して（Ｓ４４）、この処理（Ｓ４０）を抜ける。
【００６１】
下皿玉抜き時間が「０」の場合（Ｓ４１でｙｅｓ）、満杯検出スイッチ５０がオンか否かを確認する（Ｓ４２）。満杯検出スイッチ５０がオンである場合（Ｓ４２でｙｅｓ）、即ち、下皿球抜き時間の間、排出孔４３Ａを開放して下皿２７から遊技球を排出しても、満杯検出スイッチ５０がオンである場合には、エラー報知するために音声制御回路１０３又は／及びランプ制御回路１０４に報知信号を送信し、スピーカ２３又は／及び各種ランプ２２，３５で報知して（Ｓ４５）、この処理（Ｓ４０）を抜ける。
【００６２】
満杯検出スイッチ５０がオンでない場合（Ｓ４２でｎｏ）、即ち、排出孔４３Ａを開放してから下皿球抜き時間が経過するまでの間に、下皿２７の満杯状態が解消され、満杯検出スイッチ５０がオンでなくなった場合は、前記エラー報知（Ｓ４５）が行われていれば報知信号の送信を停止し（Ｓ４７）、エラー報知（Ｓ４５）が行われていなかった場合には報知信号を停止した状態に維持する（Ｓ４７）。そして、ソレノイド６１を消磁して開閉部材６４を閉鎖位置に移動し、排出孔４３Ａを閉鎖し、この処理（Ｓ４０）を抜ける。
【００６３】
このようにして、下皿満タン処理（Ｓ３０）及び下皿玉抜き処理（Ｓ４０）では、下皿２７が遊技球で満杯になったときに下皿２７の排出孔４３Ａを自動開放し、その後、下皿球抜き時間時間を経過してから、排出孔４３Ａを自動閉鎖する。
【００６４】
また、球排出設定が手動設定状態の場合は、第２球抜ボタン４７が押圧されていれば、満杯検出スイッチ５０が下皿２７の満杯を検知しているか否かによらず、ソレノイド６１を励磁して排出孔４３Ａを開放する。このように下皿２７の排出孔４３Ａの開放と閉鎖を手動でも行えるようにすることで、遊技者は遊技球が下皿２７で満杯になっていなくても遊技球を排出することができる。
【００６５】
図１１に示すように、下皿玉抜き処理（Ｓ４０）に次いで、球貸しボタン監視処理（Ｓ５０）が実行される。この処理（Ｓ５０）では、遊技者がパチンコ遊技機１０の前面の球貸ボタン２７Ｅを押下した場合に、払出装置１１０を駆動させて遊技球を払い出す処理である。
【００６６】
次の球貸し金額選択処理（Ｓ６０）では、球貸しボタン監視処理（Ｓ５０）で払い出す遊技球の個数の変更処理を行う。例えば、通常は、球貸ボタン２７Ｅを押下すると１２５個を払い出すが、遊技者が変更することで２５０個を払い出すことができる。
【００６７】
その他の処理（Ｓ７０）では、本発明にあまり関係しない処理を実行し、再び賞球制御処理（Ｓ１０）に戻って処理を繰り返す。以上が、パチンコ遊技機１０の構成の説明である。
【００６８】
本実施形態のパチンコ遊技機１０における構成の説明は以上である。次に、このパチンコ遊技機１０の作用・効果について説明する。
【００６９】
遊技者は、パチンコ遊技機１０にて遊技を行う前に、画像操作ボタン４１を操作して、下皿２７における排出孔４３Ａの自動開閉を有効とするか無効とするかを選択する。そして、図２に示すように、受容箱載置部４９Ｓ上に受容箱４９を載置して操作ノブ２８を操作する。すると、遊技球が遊技領域Ｒ１に弾き出され、その遊技領域Ｒ１をランダムに流下する。このとき幾つかの遊技球が、一般入賞口２０，２１、始動入賞口１４、大入賞口１５に入賞すると、所定個数の遊技球が上皿２６に払い出される。
【００７０】
ところで、始動入賞口１４に遊技球が入賞すると、当否判定が行われ、その当否判定結果が大当たりになった場合には、上皿２６に払い出される遊技球の量が急増する。そして、上皿２６が遊技球で満杯になると遊技球は上皿２６ではなく下皿２７に払い出され、その下皿２７における遊技球の貯留量も急増する。
【００７１】
ここで、下皿２７における排出孔４３Ａの自動開閉を無効としていた場合には、第２球抜ボタン４７を手動操作すればよい。すると、第２球抜ボタン４７を操作している間だけ、ソレノイド６１が開閉部材６４を開放位置に移動し、下皿２７から受容箱４９へと遊技球が排出される。このため、排出孔４３Ａの自動開閉を無効としている場合には、遊技者は、第２球抜ボタン４７を操作し続けるか、或いは、下皿２７の貯留量を監視しながら、適宜、第２球抜ボタン４７を操作する必要がある。
【００７２】
これに対し、下皿２７における排出孔４３Ａの自動開閉を有効としていた場合には、下皿２７の貯留量を監視する必要はなく、第２球抜ボタン４７を操作する必要もない。即ち、大当たり状態になって下皿２７における遊技球の貯留量が急増した場合にも、遊技者は操作ノブ２８のみを操作していればよい。
【００７３】
すると、下皿２７がやがて遊技球で満杯になり、下皿２７と払出装置１１０との間の払出経路５５内にも遊技球が溜まって行き、払出経路５５の途中の満杯検出スイッチ５０がオンになる。払出制御回路１００（自動開閉制御手段）は、その満杯検出スイッチ５０のオン信号を受けたことを条件に、ソレノイド６１（開閉駆動部）を励磁して開閉部材６４を開放位置に移動し、下皿球抜き時間（例えば、６０秒）だけその開放位置に保持した後、ソレノイド６１を消磁する。これにより、下皿２７の排出孔４３Ａを下皿球抜き時間だけ開放してから閉鎖し、下皿２７から受容箱４９へと遊技球が排出され、下皿２７に貯留された遊技球が一定量以下に抑えられる。また、下皿２７の排出孔４３Ａが自動で閉鎖されたときに、受容箱４９の貯留量をチェックし、適宜、受容箱４９を交換すればよい。
【００７４】
このように本実施形態のパチンコ遊技機１０によれば、遊技者に代わり、払出制御回路１００が、満杯検出スイッチ５０からの検出信号に基づいて下皿２７における遊技球の貯留量を監視すると共に、ソレノイド６１を用いて自動的に排出孔４３Ａを開放して下皿２７から遊技球を排出するので、遊技者にとって遊技球の貯留量の監視及びそれら遊技球の排出操作の煩わしさが低減され、遊技に集中することができる。
【００７５】
なお、本実施形態のパチンコ遊技機１０では、遊技者の好みに応じて下皿２７における排出孔４３Ａの自動開閉を有効とするか無効とするかを選択することができ、自動開閉を無効にした場合でも手動により排出孔４３Ａを適宜開放することができる。
【００７６】
［第２実施形態］
本実施形態は図１５に示されており、払出メインプログラムＰＧにおける下皿球抜き自動／手動切替処理が前記第１実施形態とは異なる。以下、第１実施形態と同一の構成に関しては第１実施形態と同一符号を付して重複した説明は省略し、第１実施形態と異なる構成に関してのみ説明する。
【００７７】
図１５に示すように、本実施形態の、下皿球抜き自動／手動切替処理（Ｓ２０）では、まず、特別遊技状態（大当たり状態）であるか否かを判断し（Ｓ２６）、特別遊技状態でない場合（Ｓ２６でｎｏ）には手動設定に設定して（Ｓ２８）、直ちにこの処理（Ｓ２０）を抜ける。一方、特別遊技状態である場合（Ｓ２７でｙｅｓ）には、自動設定状態か否かを判断し（Ｓ２７）、自動設定状態なら（Ｓ２７でｙｅｓ）直ちにこの処置（Ｓ２０）を抜け、手動設定状態なら（Ｓ２７でｎｏ）自動設定に切り替える（Ｓ２９）。なお、本実施形態における払出メインプログラムＰＧを実行する払出制御回路１００が、本発明の「特別遊技自動開放手段」に相当する。
【００７８】
本実施形態の構成によれば、特別遊技状態（大当たり状態）でありかつ、遊技球が下皿２７が遊技球で満杯になったことを満杯検出スイッチ５０が検知したときにのみ、下皿２７の排出孔４３Ａが、所定の下皿球抜き時間だけ開放される。これにより、遊技者は通常遊技状態のときは、第２球抜ボタン４７を押下して手動により排出孔４３Ａを開放するが、払い出し量が比較的多い特別遊技状態になったときは、自動的に下皿２７から遊技球が排出される。
【００７９】
このように本実施形態のパチンコ遊技機１０によれば、遊技者に代わり、払出制御回路１００（特別遊技時自動開放手段）が、特別遊技の実行中か否かを監視すると共に、特別遊技の実行中に自動的に排出孔４３Ａを開放して下皿２７から遊技球を排出するので、遊技者にとって遊技球の貯留量の監視及びそれら遊技球の排出操作の煩わしさが低減され、遊技に集中することができる。
【００８０】
［第３実施形態］
本実施形態は図１６に示されており、払出メインプログラムＰＧにおける下皿満タン処理（Ｓ３０）が前記第１及び第２実施形態とは異なる。以下、第１及び第２実施形態と同一の構成に関しては第１実施形態と同一符号を付して重複した説明は省略し、前記実施形態と異なる構成に関してのみ説明する。
【００８１】
図１６に示すように、本実施形態の下皿満タン処理（Ｓ３０）では、下皿玉抜き時間が設定されていれば（Ｓ３５でｙｅｓ）、下皿玉抜き時間を設定してから予め設定したエラー判定時間（例えば５秒）が経過しているか否かを判別し（Ｓ３７）、経過していなければ（Ｓ３７でｎｏ）、この処理（Ｓ３０）を抜け、経過していれば、次に満杯検出スイッチ５０がオンかどうかを判断する（Ｓ３８）。満杯検出スイッチ５０がオンとなっていなければ（Ｓ３８でｎｏ）、直ちにこの処理（Ｓ３０）を抜け、満杯検出スイッチ５０がオンとなっていれば（Ｓ３８でｙｅｓ）、発射モータ１０６Ｂの駆動を停止し（Ｓ３９）、この処理（Ｓ３０）を終了する。一方、下皿玉抜き時間が設定されていない場合（Ｓ３５でｎｏ）は、下皿玉抜き時間を、例えば６０秒に設定し（Ｓ３６）、この処理（Ｓ３０）を終了する。
【００８２】
これにより、本実施形態の下皿満タン処理（Ｓ３０）では、満杯検出スイッチ５０がオンされていると最初に判断してから、エラー判定時間が経過するまでの間に、満杯検出スイッチ５０がオフの状態にならなければ、即ち、下皿２７の満杯状態が解消しなければ、排出孔４３Ａまたは払出経路５５内で球詰まり等のエラーが発生していると判断し、発射モータ１０６Ｂの駆動を停止する。
【００８３】
このように本実施形態のパチンコ遊技機１０によれば、通常は、下皿２７が満杯となっても、排出孔４３Ａを開放することにより直ぐに満杯状態が解消するが、万一、排出孔４３Ａで遊技球が詰まる等により、下皿２７の満杯状態が解消されない場合には、遊技球の発射を停止し、払出経路５５等の球詰まりが深刻な状態になる前に、迅速に対処することができる。
【００８４】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００８５】
（１）前記第１及び第２実施形態では、パチンコ遊技機に本発明を適用していたが、遊技機であれば、コイン遊技機やスロットマシン、アレンジボール等に備えてもよい。
【００８６】
（２）排出孔４３Ａの開閉の動力としてソレノイド６１を使用したが、モータ等の他の動力を使用してもよい。
【００８７】
（３）前記第１及び第２実施形態では、上皿２６を無くして下皿２７のみの構成にしてもよい。
【００８８】
（４）下皿玉抜き時間を複数設け、遊技状態に合わせて適宜選択されるようにしてもよい。例えば、６０秒、１２０秒、１８０秒の３種類を設け、大当たり遊技中は１８０秒が選択されるようにしてもよい。
【００８９】
（５）満杯を検知した後、発射モータ１０６Ｂの駆動を止めるのではなく、払出装置１１０の駆動を止めて、その間に払い出す遊技球数を記憶手段に記憶する構成にしてもよい。
【００９０】
（６）球排出設定が自動設定状態であっても、第２球抜ボタン４７を押圧操作した場合には、排出孔４３Ａを開閉できるようにしてもよい。これにより受容箱４９が配置されてい状態で排出孔４３Ａが開放した場合でも、手動で強制的に閉鎖することができる。
【００９１】
（７）排出孔４３Ａに受容箱４９が配置されているか否かを感知するセンサ（本発明の「受容箱検出手段」に相当する）を設け、受容箱４９が配置されている場合のみ、遊技球を排出することができ、受容箱４９が備えられていない場合には排出することができない構成にしてもよい（本発明の「自動確認手段」に相当する）。
【００９２】
（８）また、受容箱４９に収容された遊技球の量をセンサで検知し、受容箱４９が遊技球で満杯になったら排出を止める構成にしてもよい。これにより、受容箱４９が備えられていない状態で誤って遊技媒体を排出してしまうことを防ぐことができる。
【００９３】
（９）球排出設定の手動設定状態を無くして自動設定状態のみにしてもよい。
【図面の簡単な説明】
【００９４】
【図１】本発明に係るパチンコ遊技機の正面図
【図２】下皿扉の正面図
【図３】下皿扉の斜視図
【図４】開閉ユニットの斜視図
【図５】開閉ユニットの動作を表す斜視図
【図６】開閉ユニットの動作を表す斜視図
【図７】パチンコ遊技機の背面図
【図８】払出経路の透視図
【図９】満杯スイッチセンサの断面図
【図１０】パチンコ遊技機の電気的構成を表したブロック図
【図１１】払出制御処理のフローチャート
【図１２】下皿球抜き自動／手動切替処理のフローチャート
【図１３】下皿満タン処理のフローチャート
【図１４】下皿球抜き処理のフローチャート
【図１５】第２実施形態の下皿球抜き自動／手動切替処理のフローチャート
【図１６】第３実施形態の下皿満タン処理のフローチャート
【符号の説明】
【００９５】
１０    パチンコ遊技機
２６    上皿
２７    下皿（受け皿）
４０    下皿扉
４１    画像操作ボタン
４３Ａ  排出孔
４７    第２球抜ボタン（手動開閉操作部）
５０    満杯検出スイッチ（貯留量検出手段）
５５    払出経路
６０    開閉ユニット
６１    ソレノイド（開閉駆動部）
６３Ａ  摺接斜面
６４    開閉部材
１００    払出制御回路（自動開閉制御手段、特別遊技自動開放手段）
１１０    払出装置
【図１】
2008132137.tif 000003
【図２】
2008132137.tif 000004
【図３】
2008132137.tif 000005
【図４】
2008132137.tif 000006
【図５】
2008132137.tif 000007
【図７】
2008132137.tif 000008
【図８】
2008132137.tif 000009
【図９】
2008132137.tif 000010
【図１０】
2008132137.tif 000011
【図１１】
2008132137.tif 000012
【図１２】
2008132137.tif 000013
【図１３】
2008132137.tif 000014
【図１４】
2008132137.tif 000015
【図１５】
2008132137.tif 000016
【図１６】
2008132137.tif 000017
【図６】
2008132137.tif 000018